(57)【特許請求の範囲】
【請求項１】
絶縁接着剤層と、該絶縁接着剤層に格子状に配置された導電粒子を含む異方導電性フィルムであって、
基準とする任意の導電粒子（以下、基準導電粒子という）と、
基準導電粒子に最も近接した第１導電粒子と、
第１導電粒子と同等又は第１導電粒子の次に基準導電粒子に近接した導電粒子であって、
基準導電粒子と第１導電粒子を含む格子軸上に無い第２導電粒子について、
基準導電粒子の異方導電性フィルムの長手方向の投影像と第１導電粒子又は第２導電粒子が重なり、
基準導電粒子の異方導電性フィルムの短手方向の投影像と第２導電粒子又は第１導電粒子が重なり、
基準導電粒子の異方導電性フィルムの長手方向の投影像と、第１導電粒子又は第２導電粒子との重なり領域の異方導電性フィルムの短手方向の最大幅（以下、異方導電性フィルムの長手方向で隣接する導電粒子の重なり幅という）、及び基準導電粒子の異方導電性フィルムの短手方向の投影像と、第２導電粒子又は第１導電粒子との重なり領域の異方導電性フィルムの長手方向の最大幅（以下、異方導電性フィルムの短手方向で隣接する導電粒子の重なり幅という）の少なくとも一方が導電粒子の粒子径の１倍未満であり、
基準導電粒子と第１導電粒子との中心間距離及び基準導電粒子と第２導電粒子の中心間距離が、それぞれ導電粒子の粒子径の１．５〜５倍である異方導電性フィルム。
【請求項２】
導電粒子の格子状の配置が斜方格子である請求項１記載の異方導電性フィルム。
【請求項３】
異方導電性フィルムの長手方向で隣接する導電粒子の重なり幅が導電粒子の粒子径に等しい請求項１又は２記載の異方導電性フィルム。
【請求項４】
異方導電性フィルムの短手方向で隣接する導電粒子の重なり幅が導電粒子の粒子径に等しい請求項１又は２記載の異方導電性フィルム。
【請求項５】
異方導電性フィルムの長手方向で隣接する導電粒子の重なり幅及び異方導電性フィルムの短手方向で隣接する導電粒子の重なり幅の少なくとも一方が導電粒子の粒子径の０．５倍未満である請求項１〜４のいずれかに記載の異方導電性フィルム。
【請求項６】
請求項１〜５のいずれかに記載の異方導電性フィルムで第１電子部品と第２電子部品が異方導電性接続されている接続構造体。
【請求項７】
請求項１〜５のいずれかに記載の異方導電性フィルムで第１電子部品と第２電子部品を異方導電性接続する、接続構造体の製造方法。
【発明の詳細な説明】
【技術分野】
【０００１】
本発明は、異方導電性フィルム、異方導電性フィルムを用いる接続方法、及び異方導電性フィルムで接続された接続構造体に関する。
【背景技術】
【０００２】
異方導電性フィルムは、ＩＣチップ等の電子部品を基板に実装する際に広く使用されている。近年では、携帯電話、ノートパソコン等の小型電子機器において配線の高密度化が求められており、この高密度化に異方導電性フィルムを対応させる手法として、異方導電性フィルムの絶縁接着剤層に導電粒子を格子状に均等配置する技術が知られている。
【０００３】
しかしながら、導電粒子を均等配置しても導通抵抗がばらつくという問題が生じる。これは、端子の縁辺上に位置した導電粒子が絶縁性バインダーの溶融によりスペースに流れ出て、上下の端子で挟まれにくいためである。この問題に対しては、導電粒子の第１の配列方向を異方導電性フィルムの長手方向とし、第１の配列方向に交差する第２の配列方向を、異方導電性フィルムの長手方向に直交する方向に対して５°以上１５°以下で傾斜させることが提案されている（特許文献１）。
【先行技術文献】
【特許文献】
【０００４】
【特許文献１】特許４８８７７００号公報
【発明の概要】
【発明が解決しようとする課題】
【０００５】
しかしながら、異方導電性フィルムで接続する電子部品のバンプサイズがさらに小さくなると、バンプで捕捉できる導電粒子の数もさらに少なくなり、特許文献１に記載の異方導電性フィルムでは導通信頼性を十分に得られない場合があった。特に、液晶画面等の制御用ＩＣをガラス基板上の透明電極に接続する、所謂ＣＯＧ（Chip on Glass）接続では、液晶画面の高精細化に伴う多端子化とＩＣチップの小型化によりバンプサイズが小さくなり、また、テレビのディスプレイ用のガラス基板とフレキシブルプリント配線板（ＦＰＣ：Flexible Printed Circuits）とを接合するＦＯＧ（Film on Glass）接続を行う場合でも接続端子がファインピッチとなり、接続端子で捕捉できる導電粒子数を増加させて導通信頼性を高めることが課題となっていた。
【０００６】
そこで、本発明は、従前のＦＯＧ接続やＣＯＧ接続のみならずファインピッチのＦＯＧ接続やＣＯＧ接続においても、異方導電性フィルムを用いて安定した導通信頼性を得られるようにすることを課題とする。
【課題を解決するための手段】
【０００７】
本発明者は、導電粒子を格子状に配置した異方導電性フィルムにおいて、導電粒子を高密度に配置し、かつ異方導電性接続時にショートが引き起こされないようにするには、基準とする任意の導電粒子（以下、基準導電粒子という）と、基準導電粒子に最も近接した第１導電粒子又はその次に近接した第２導電粒子について、基準導電粒子の異方導電性フィルムの長手方向及び短手方向の投影像と第１導電粒子又は第２導電粒子が重なり、かつそれらの重なり幅を特定の範囲とすることにより、異方導電性フィルムの接続信頼性を向上できることを見出し、本発明を想到した。
【０００８】
即ち、本発明は、絶縁接着剤層と、該絶縁接着剤層に格子状に配置された導電粒子を含む異方導電性フィルムであって、
基準導電粒子と、
基準導電粒子に最も近接した第１導電粒子と、
第１導電粒子と同等又は第１導電粒子の次に基準導電粒子に近接した導電粒子であって、基準導電粒子と第１導電粒子を含む格子軸上に無い第２導電粒子について、
基準導電粒子の異方導電性フィルムの長手方向の投影像と第１導電粒子又は第２導電粒子が重なり、
基準導電粒子の異方導電性フィルムの短手方向の投影像と第２導電粒子又は第１導電粒子が重なり、
基準導電粒子の異方導電性フィルムの長手方向の投影像と、第１導電粒子又は第２導電粒子との重なり領域の異方導電性フィルムの短手方向の最大幅（以下、異方導電性フィルムの長手方向で隣接する導電粒子の重なり幅という）、及び基準導電粒子の異方導電性フィルムの短手方向の投影像と、第２導電粒子又は第１導電粒子との重なり領域の異方導電性フィルムの長手方向の最大幅（以下、異方導電性フィルムの短手方向で隣接する導電粒子の重なり幅という）の少なくとも一方が導電粒子の粒子径の１倍未満である異方導電性フィルムを提供する。
【０００９】
また、本発明は、上述の異方導電性フィルムで第１電子部品と第２電子部品が異方導電性接続されている接続構造体を提供する。
【発明の効果】
【００１０】
本発明の異方導電性フィルムによれば、絶縁接着剤層に導電粒子を高密度に配置することにより異方導電性接続する端子の面積が狭くても該端子に導電粒子を確実に補足でき、かつ、端子がファインピッチに形成されていても、導電粒子によりショートが発生することを抑制できる。
【図面の簡単な説明】
【００１１】
【図１】図１は、実施例の異方導電性フィルム１Ａにおける導電粒子の配置図である。
【図２】図２は、実施例の異方導電性フィルム１Ｂにおける導電粒子の配置図である。
【図３】図３は、実施例の異方導電性フィルム１Ｃにおける導電粒子の配置図である。
【図４】図４は、実施例の異方導電性フィルム１Ｄにおける導電粒子の配置図である。
【図５】図５は、比較例の異方導電性フィルム１ｘにおける導電粒子の配置図である。
【図６】図６は、比較例の異方導電性フィルム１ｙにおける導電粒子の配置図である。
【発明を実施するための形態】
【００１２】
以下、図面を参照しつつ本発明を詳細に説明する。なお、各図中、同一符号は同一又は同等の構成要素を表している。
【００１３】
図１は、本発明の一実施例の異方導電性フィルム１Ａにおける導電粒子Ｐの配置図である。この異方導電性フィルム１Ａは、絶縁接着剤層１０と、絶縁接着剤層１０に格子状の配置で固定された導電粒子Ｐを有する。
【００１４】
より具体的には、導電粒子Ｐは、絶縁接着剤層１０内に正方格子又は長方格子に配置されており、基準導電粒子Ｐ0と該基準導電粒子Ｐ0に最も近接した第１導電粒子Ｐ1とを含む格子軸（以下、第１配列軸Ａ1という）が、異方導電性フィルム１Ａの長手方向Ｆ1及び短手方向Ｆ2に対して傾いている。ここで、基準導電粒子Ｐ0と第１導電粒子Ｐ1との中心間距離はＬ1である。
【００１５】
また、第１導電粒子Ｐ1と同等又は第１導電粒子Ｐ1の次に基準導電粒子Ｐ0に近接した導電粒子であって、第１配列軸Ａ1上に無い第２導電粒子Ｐ2と基準導電粒子Ｐ0とを含む格子軸（以下、第２配列軸Ａ2という）も異方導電性フィルム１Ａの長手方向Ｆ1及び短手方向Ｆ2に対して傾いている。ここで、基準導電粒子Ｐ0と第２導電粒子Ｐ2との中心間距離をＬ2とすると、Ｌ2≧Ｌ1である。
【００１６】
基準導電粒子Ｐ0と第１導電粒子Ｐ1との中心間距離Ｌ1、及び基準導電粒子Ｐ0と第２導電粒子Ｐ2との中心間距離Ｌ2は、異方導電性フィルムを適用するＦＯＧ接続やＣＯＧ接続等に応じて適宜決定することができ、通常、それぞれ導電粒子Ｐの粒子径Ｄの１．５〜２０００倍であるが、ＦＯＧ接続の場合には好ましくは２．５〜１０００倍、より好ましくは３〜７００倍、特に好ましくは５倍より大きく４００倍未満である。ＣＯＧ接続の場合には好ましくは１．５〜５倍、より好ましくは１．８〜４．５倍、特に好ましくは２〜４倍である。導電粒子Ｐがこのように高密度で配置されていることにより、異方導電性フィルム１Ａを用いて異方導電性接続する端子の面積が狭くても該端子に導電粒子Ｐが確実に捕捉され、導通信頼性を得ることができる。これに対し、中心間距離Ｌ1、Ｌ2が短すぎると異方導電性フィルムを用いて端子間を接続した場合にショートが生じ易くなり、反対に長すぎると端子間に捕捉される導電粒子数が不十分となる。
【００１７】
この異方導電性フィルム１Ａでは、基準導電粒子Ｐ0の異方導電性フィルムの長手方向の投影像ｑ1（即ち、基準導電粒子Ｐ0を、異方導電性フィルム１Ａの長手方向Ｆ1の平行光で投影した場合の像）と第１導電粒子Ｐ1が重なり、かつ、基準導電粒子Ｐ0の異方導電性フィルムの短手方向Ｆ2の投影像ｑ2（即ち、基準導電粒子Ｐ0を、異方導電性フィルム１Ａの短手方向Ｆ2の平行光で投影した場合の像）と第２導電粒子Ｐ2が重なっている。さらに、異方導電性フィルム１Ａの長手方向Ｆ1で隣接する基準導電粒子Ｐ0と第１導電粒子Ｐ1との重なり幅Ｗ1と、異方導電性フィルム１Ａの短手方向Ｆ2で隣接する基準導電粒子Ｐ0と第２導電粒子Ｐ2との重なり幅Ｗ2が、それぞれ導電粒子Ｐの粒子径Ｄの０倍より大きく１倍未満、好ましくは０．５倍未満である。
【００１８】
なお、本発明において導電粒子Ｐの粒子径Ｄは、異方導電性フィルムで使用されている導電粒子の平均粒子径である。導電粒子Ｐの粒子径Ｄは、ショート防止と、接続する端子間接合の安定性の点から、好ましくは１〜３０μｍ、より好ましくは２〜１５μｍである。なお、導電粒子の粒子径Ｄと粒子中心間距離の範囲とは密接に関連しており、例えば、一般的なＦＰＣ配線の場合、接続領域長さが通常２ｍｍで、一つの配列軸で粒子径１μｍの導電粒子２個が導電粒子径０．５倍の余裕をもって捕捉されるとすると、粒子中心間距離の上限は粒子径の１９９８倍と算出できる（この場合、この配列軸に隣接する配列軸との距離は十分に短いものとなる）。粒子径が２μｍ及び３μｍのＦＯＧ接続の場合も上記同様の理由から、粒子中心間距離の上限はそれぞれ粒子径の９９８倍及び６６３．７μｍと算出できる（１μｍの導電粒子が２ｍｍ内に３個存在する場合も包含できる範囲でもある）。また、一般的なＦＰＣ配線について、その幅を２００μｍ、Ｌ／Ｓ＝１とした場合に、配線幅とそのスペースの合計である４００μｍ内で、一つの配列軸で最小径１μｍの導電粒子２個が、導電粒子径０．５倍の余裕を持ち、更に配線の端部より内側に存在できるとすると、粒子中心間距離の上限は、粒子径の３９８倍未満と算出できる。また、粒子中心間距離の下限は、導電粒子の粒子径Ｄが３０μｍの場合に、余裕を持って配置できる間隔に相当する。
【００１９】
この異方導電性フィルム１Ａでは、上述のように、長手方向Ｆ1で隣接する基準導電粒子Ｐ0と第１導電粒子Ｐ1との重なり幅Ｗ1と、異方導電性フィルム１Ａの短手方向Ｆ2で隣接する基準導電粒子Ｐ0と第２導電粒子Ｐ2との重なり幅Ｗ2が、双方とも導電粒子Ｐの粒子径Ｄの１倍未満であるが、本発明においては、これらの重なり幅Ｗ1、Ｗ2の少なくとも一方が導電粒子Ｐの粒子径Ｄの１倍未満であればよい。言い換えると、双方の重なり幅Ｗ1、Ｗ2が同時に導電粒子Ｐの粒子径Ｄに等しくなることは無い。即ち、基準導電粒子Ｐ0の投影像ｑ1と第１導電粒子Ｐ1又は第２導電粒子Ｐ2とがちょうど重なり、かつ基準導電粒子Ｐ0の投影像ｑ2と第２導電粒子Ｐ2又は第１導電粒子Ｐ1とがちょうど重なることはない。
【００２０】
このように重なり幅Ｗ1、Ｗ2を調整することにより、導電粒子Ｐが高密度に配置されているにも関わらず、異方導電性フィルム１Ａを用いて端子を異方導電性接続した場合に、端子間にショートが発生することを抑制できる。また、高密度に配置された状態でも意図的にずらしていることで、異方導電性フィルムの製造時に不良が発生したとしても容易に検出することができる。例えば、任意の箇所における面視野画像にフィルムの長手や短手もしくはこれらに予め設計した斜行の角度の直線（補助線）を引くことで、当初の設計に合致して配列軸が形成されているかを容易に確認できる。
【００２１】
このショート発生の抑制効果は、導電粒子Ｐと絶縁接着剤層１０との次のような作用機構により得られると考えられる。即ち、異方導電性フィルム１Ａを用いて電子部品の接続端子３を異方導電性接続する場合に、例えば、図１に示したように、異方導電性フィルム１Ａの長手方向Ｆ1と接続端子３の短手方向を合わせ、接続端子３を覆う加熱ヘッドで加熱加圧すると、絶縁接着剤層１０が溶融し、その溶融した樹脂が矢印Ｘ方向に流れ、溶融した樹脂の流れにより接続端子３間の導電粒子Ｐも矢印Ｘ方向に移動する。ここで、図５に示す比較例の異方導電性フィルム１ｘのように、重なり幅Ｗ1及びＷ2の双方が導電粒子Ｐの粒子径Ｄに等しいと、異方導電性接続時に接続端子３間の導電粒子Ｐは矢印Ｘ方向にもそれに直交する方向にも一列に並ぶこととなり、溶融した樹脂の流れにより導電粒子Ｐが３個以上の複数個で連結し易くなる。このため、ファインピッチの接続端子を接続する場合、ショートが起こりやすくなる。
【００２２】
これに対し、この異方導電性フィルム１Ａでは図１に示したようにＸ方向に隣接する導電粒子Ｐ3、Ｐ1、Ｐ4は異方導電性フィルム１Ａの長手方向Ｆ1の位置がずれているので、溶融した樹脂の流れが乱れ、溶融した樹脂で流された後の導電粒子が３個以上連結することが防止され、ファインピッチの接続端子でもショートを発生させることなく接続することができる。即ち、フィルムの溶融粘度の設計にマージンを持たせることが可能になる。例えば、高密度に導電粒子が存在し、且つ導電粒子の流動を抑制するために溶融粘度を比較的高く設計すると、押し込みを阻害する懸念が生じる。しかし上述のように設計することで、このような問題は回避しやすくなる。また、配合設計の段階においても流動状態の挙動を把握しやすいことから、設計工数の削減にも寄与することができる。
【００２３】
このファインピッチの接続においては、互いに接続する対向する接続端子を含めた接続端子の並列方向において、間隙をあけて隣接する最小端子間距離（この距離は、異方導電性接続が可能な範囲で並列方向にずれていてもよい）を導電粒子の粒子径Ｄの４倍未満とすることができる。この場合、接続される端子の接続面の短手方向の幅は、導電粒子の粒子径Ｄの７倍未満とすることができる。
【００２４】
また、図６に示す比較例の異方導電性フィルム１ｙのように、基準導電粒子Ｐ0に最も近接した第１導電粒子Ｐ1は、基準導電粒子Ｐ0の異方導電性フィルムの長手方向Ｆ1の投影像ｑ1と重ならず、短手方向Ｆ2の投影像ｑ2とも重なっておらず、第１導電粒子Ｐ1よりも基準導電粒子Ｐ0から離れた導電粒子Ｐx、Ｐyが基準導電粒子Ｐ0の投影像ｑ1、ｑ2と重なる場合、導電粒子Ｐの密度が低くなるためショートは発生しにくくなる。しかしながら、導電粒子Ｐの密度が低いため、接続すべき端子のサイズが小さい場合には導電粒子Ｐが端子３で捕捉されにくく、導通信頼性が劣る。一般に、同図に示すように、ＩＣチップなどでは複数の接続端子３が並列しており、異方導電性フィルムの接続端子への貼り合わせは接続端子３の配列方向に沿って行われるが、この貼り合わせにズレや撓みが生じると、接続端子３上で疎に配置されている導電粒子Ｐが一層接続端子に捕捉されにくくなる。
【００２５】
これに対し、本発明の異方導電性フィルム１Ａでは導通信頼性を向上させることができる。
【００２６】
本発明の異方導電性フィルムは、導電粒子の配置について種々の態様をとることができる。例えば、上述の異方導電性フィルム１Ａにおいて、基準導電粒子Ｐ0の異方導電性フィルム１Ａの長手方向Ｆ1の投影像ｑ1と第２導電粒子とが重なり、基準導電粒子Ｐ0の異方導電性フィルム１Ａの短手方向Ｆ2の投影像ｑ2と第１導電粒子とが重なるようにしても良い。
【００２７】
また、図２に示す異方導電性フィルム１Ｂのように、上述の異方導電性フィルム１Ａにおいて導電粒子Ｐの配置を斜方格子とし、さらに、異方導電性フィルムの短手方向Ｆ2で隣接する基準導電粒子Ｐ0と第２導電粒子Ｐ2との重なり幅Ｗ2を導電粒子Ｐの粒子径Ｄに等しくしてもよい。この場合、異方導電性フィルム１Ｂの長手方向Ｆ1で隣接する基準導電粒子Ｐ0と第１導電粒子Ｐ1との重なり幅Ｗ1は、導電粒子Ｐの粒子径Ｄの１倍未満、好ましくは、０．５倍未満とする。この態様では、基準導電粒子Ｐ0の異方導電性フィルムの長手方向Ｆ1の外接線が、第１導電粒子Ｐ1のそれと重複しないことが好ましい。即ち、基準導電粒子Ｐ0の異方導電性フィルムの長手方向Ｆ1の外接線が第１導電粒子Ｐ1を貫くことが好ましい。
【００２８】
図３に示す異方導電性フィルム１Ｃのように、上述の異方導電性フィルム１Ａにおいて導電粒子Ｐの配置を斜方格子とし、さらに、異方導電性フィルムの長手方向Ｆ1で隣接する基準導電粒子Ｐ0と第１導電粒子Ｐ1との重なり幅Ｗ1を導電粒子Ｐの粒子径Ｄに等しくしてもよい。この場合、異方導電性フィルム１Ｃの短手方向Ｆ2で隣接する基準導電粒子Ｐ0と第２導電粒子Ｐ2との重なり幅Ｗ2は、導電粒子Ｐの粒子径Ｄの１倍未満、好ましくは、０．５倍未満とする。この態様では、基準導電粒子Ｐ0の異方導電性フィルムの短手方向Ｆ2の外接線が、第２導電粒子Ｐ2のそれと重複しないことが好ましい。即ち、基準導電粒子Ｐ0の異方導電性フィルムの短手方向Ｆ2の外接線が第２導電粒子Ｐ2を貫くことが好ましい。
【００２９】
この異方導電性フィルム１Ｃのように、異方導電性フィルムの長手方向Ｆ1に導電粒子Ｐを一列に配列し、かつ異方導電性フィルムの短手方向Ｆ2で隣接する導電粒子Ｐが、導電粒子Ｐの粒子径Ｄの１倍未満の重なり幅Ｗ2でずれていくようにすると、導電粒子Ｐが樹脂の流動方向であるＸ方向にのみ傾斜して配置されるため、接続端子３に捕捉された導電粒子と樹脂流動により移動した導電粒子を容易に把握できる。また、流動方向での導電粒子Ｐの重畳が小さくなるので、ショートの発生を特に抑制することができる。
【００３０】
なお、このように導電粒子Ｐの配置を、接続時の樹脂の流動を加味して設計することで、絶縁接着剤層１０を形成する絶縁性バインダーの配合の自由度が増やすことができ、異方導電性フィルムの作製条件や接続条件などの変更に備えやすくなる。
【００３１】
図４に示す異方導電性フィルム１Ｄのように、上述の異方導電性フィルム１Ａにおいて導電粒子Ｐの配置を斜方格子としてもよい。
【００３２】
本発明において導電粒子Ｐの密度は、好ましくは４００〜２５００００個／ｍｍ2、より好ましくは８００〜２０００００個／ｍｍ2、さらに好ましくは１２００〜１０００００個／ｍｍ2である。この粒子密度は、導電粒子Ｐの粒子径Ｄと配置位置によって適宜調整される。
【００３３】
導電粒子Ｐ自体の構成や絶縁接着剤層１０の層構成又は構成樹脂については、種々の態様をとることができる。
【００３４】
即ち、導電粒子Ｐとしては、公知の異方導電性フィルムに用いられているものの中から適宜選択して使用することができる。例えば、ニッケル、コバルト、銀、銅、金、パラジウムなどの金属粒子、金属被覆樹脂粒子などが挙げられる。２種以上を併用することもできる。
【００３５】
絶縁接着剤層１０としては、公知の異方導電性フィルムで使用される絶縁性樹脂層を適宜採用することができる。例えば、アクリレート化合物と光ラジカル重合開始剤とを含む光ラジカル重合型樹脂層、アクリレート化合物と熱ラジカル重合開始剤とを含む熱ラジカル重合型樹脂層、エポキシ化合物と熱カチオン重合開始剤とを含む熱カチオン重合型樹脂層、エポキシ化合物と熱アニオン重合開始剤とを含む熱アニオン重合型樹脂層等を使用することができる。これらの樹脂層は、必要に応じて絶縁接着剤層１０に導電粒子Ｐを固定するため、それぞれ重合したものとすることができる。絶縁接着剤層１０を、複数の樹脂層から形成してもよい。
【００３６】
また、絶縁接着剤層１０に導電粒子Ｐを固定するため、絶縁接着剤層１０には、必要に応じてシリカ等の絶縁性フィラーを配合してもよい。
【００３７】
絶縁接着剤層１０に導電粒子Ｐを上述の配置で固定する方法としては、導電粒子Ｐの配置に対応した凹みを有する型を機械加工やレーザー加工、フォトリソグラフィなど公知の方法で作製し、その型に導電粒子を入れ、その上に絶縁接着剤層形成用組成物を充填し、硬化させ、型から取り出せばよい。このような型から、更に剛性の低い材質で型を作成しても良い。
【００３８】
また、絶縁接着剤層１０に導電粒子Ｐを上述の配置におくために、絶縁接着剤層形成組成物層の上に、貫通孔が所定の配置で形成されている部材を設け、その上から導電粒子Ｐを供給し、貫通孔を通過させるなどの方法でもよい。
【００３９】
本発明の異方導電性フィルムを用いて、フレキシブル基板（ＦＰＣ）、ガラス基板、プラスチック基板（ＰＥＴなどの熱可塑性樹脂からなる基板）、セラミック基板などの第１電子部品の接続端子と、ＩＣチップ、ＩＣモジュール、フレキシブル基板（ＦＰＣ）などの第２電子部品の接続端子を異方導電性接続する場合、例えば、図１に示したように、異方導電性フィルム１Ａの長手方向Ｆ1と、第１電子部品又は第２電子部品の接続端子３の短手方向を合わせる。これにより、本発明の異方導電性フィルム１Ａにおける導電粒子Ｐの配置を活かして接続端子３における導電粒子Ｐの捕捉数を十分に高めることができ、特に、導電粒子Ｐの第１配列軸Ａ1又は第２配列軸Ａ2の少なくとも一方が異方導電性フィルムの長手方向Ｆ1又は短手方向Ｆ2に対して傾いている場合に、接続端子３における導電粒子Ｐの捕捉性を顕著に高めることができる。
【００４０】
より具体的には、例えば、第１電子部品として、透明電極で接続端子が形成されたガラス基板等を使用し、第２電子部品として、ＩＣチップ等を使用して高密度配線のＣＯＧ接続を行う場合、より具体的には、これらの接続端子の接続面の大きさが、幅８〜６０μｍ、長さ４００μｍ以下（下限は幅と等倍）である場合に、特に、従前の異方導電性接続に比して接続端子で捕捉できる導電粒子数が安定して増加し、接続信頼性を向上させることができる。なお、接続端子面の短手方向の幅がこれより小さいと接続不良が多発し、大きいとＣＯＧ接続で必要とされる高密度実装への対応が難しくなる。また、接続端子面の長さがこれより短いと安定した導通をとりにくくなり、長さがこれよりも長いと片当たりの要因となる。また、第２電子部品としてフレキシブル基板（ＦＰＣ）のように配線間距離が４０μｍ以上になる比較的ショートが発生しにくいものの場合には、６μｍ以上の比較的大きな径の導電粒子を用いることができる（粒子径の上限はスペースによるが、３０μｍ以下が好ましく、１５μｍ以下がより好ましく、１５μｍ未満が更により好ましい）。このような比較的大きな導電粒子を用いることで、第１電子部品の接続面における配線高さの位置に軽微なばらつきがあっても安定して接続することができる。このような配線高さの位置にばらつきが生じるものとしては、製造上の問題から表面にうねりを持つセラミック基盤が挙げられる。
【００４１】
本発明は、こうして異方導電性接続した第１電子部品と第２電子部品の接続構造体も包含する。
【実施例】
【００４２】
以下、実施例に基づき、本発明を具体的に説明する。
【００４３】
実施例１〜３、比較例１
（１）異方導電性フィルムの製造
フェノキシ樹脂（熱可塑性樹脂）（新日鐵住金（株）、ＹＰ−５０）６０質量部、エポキシ樹脂（熱硬化性樹脂）（三菱化学（株）、ｊＥＲ８２８）４０質量部、カチオン系硬化剤（三新化学工業（株）、ＳＩ−６０Ｌ）２質量部、及びシリカ微粒子（日本アエロジル（株）、アエロジルＲＹ２００）２０質量部を含む絶縁性樹脂の混合溶液を調製し、それを、フィルム厚さ５０μｍのＰＥＴフィルム上に塗布し、８０℃のオーブンにて５分間乾燥させ、ＰＥＴフィルム上に厚み２０μｍの粘着層を形成した。
【００４４】
一方、表１に示す配置で凸部の配列パターンを有する金型を作成し、公知の透明性樹脂のペレットを溶融させた状態で該金型に流し込み、冷やして固めることで、凹部が表１に示す配置の樹脂型を形成した。この樹脂型の凹部に導電粒子（積水化学工業(株)、ＡＵＬ７０４、粒径４μｍ）を充填し、その上に上述の絶縁性樹脂の粘着層を被せ、紫外線硬化により該絶縁性樹脂に含まれる硬化性樹脂を硬化させた。そして、型から絶縁性樹脂を剥離し、各実施例及び比較例の異方導電性フィルムを製造した。
【００４５】
（２）最近接導電粒子の中心間距離
各実施例及び比較例の異方導電性フィルムにおいて、基準導電粒子Ｐ0と、該基準導電粒子Ｐ0に最も近接した第１導電粒子Ｐ1との中心間距離Ｌ1を、光学顕微鏡を用いて計測して確認した。この場合、基準導電粒子Ｐ0の中心と第１導電粒子Ｐ1の中心とを結んだ第１配列軸Ａ1上にある導電粒子１００個５０組を任意に計測し、その平均値を求め、所期の中心間距離Ｌ１であることを確認した。結果を表１に示す。
【００４６】
（３）隣接する導電粒子の重なり幅Ｗ1、Ｗ2
各実施例及び比較例の異方導電性フィルムにおいて、異方導電性フィルムの長手方向Ｆ1において隣接する導電粒子Ｐの重なり幅Ｗ1及び異方導電性フィルムの短手方向Ｆ２で隣接する導電粒子Ｐの重なり幅Ｗ2を金属顕微鏡を用いて計測した。結果を表１に示す。
【００４７】
（４）導通評価
各実施例及び比較例の異方導電性フィルムの(ａ)初期導通抵抗、(ｂ)導通信頼性、(ｃ)ショート発生率を、それぞれ次のように評価した。結果を表１に示す。
【００４８】
(ａ)初期導通抵抗
各実施例及び比較例の異方導電性フィルムを、初期導通および導通信頼性の評価用ＩＣとガラス基板の間に挟み、加熱加圧（１８０℃、８０ＭＰａ、５秒）して各評価用接続物を得た。この場合、異方導電性フィルムの長手方向と接続端子の短手方向を合わせた。そして、この評価用接続物の導通抵抗を測定した。
【００４９】
ここで、この各評価用ＩＣとガラス基板は、それらの端子パターンが対応しており、サイズは次の通りである。
【００５０】
初期導通および導通信頼性の評価用ＩＣ
外径  ０．７×２０ｍｍ
厚み  ０．２ｍｍ
バンプ仕様  金メッキ、高さ１２μｍ、サイズ１５×１００μｍ、バンプ間距離１５μｍ
【００５１】
ガラス基板
ガラス材質  コーニング社製
外径  ３０×５０ｍｍ
厚み  ０．５ｍｍ
電極  ＩＴＯ配線  
【００５２】
(ｂ)導通信頼性
(ａ)初期導通抵抗の評価用ＩＣと各実施例及び比較例の異方導電性フィルムとの評価用接続物を温度８５℃、湿度８５％ＲＨの恒温槽に５００時間おいた後の導通抵抗を、(ａ)と同様に測定した。なお、この導通抵抗が５Ω以上であると、接続した電子部品の実用的な導通安定性の点から好ましくない。
【００５３】
(ｃ)ショート発生率
ショート発生率の評価用ＩＣとして次のＩＣ（７．５μｍスペースの櫛歯ＴＥＧ(test element group)）を用意した。
外径  １．５×１３ｍｍ
厚み  ０．５ｍｍ
バンプ仕様  金メッキ、高さ１５μｍ、サイズ２５×１４０μｍ、バンプ間距離７．５μｍ
【００５４】
各実施例及び比較例の異方導電性フィルムを、ショート発生率の評価用ＩＣと、該評価用ＩＣに対応したパターンのガラス基板との間に挟み、（ａ）と同様の接続条件で加熱加圧して接続物を得、その接続物のショート発生率を求めた。ショート発生率は、「ショートの発生数／７．５μｍスペース総数」で算出される。ショート発生率が５０ｐｐｍ以上であると実用上の接続構造体を製造する点から好ましくない。
【００５５】
（５）連結粒子
(ａ)初期導通抵抗の評価用ＩＣと各実施例及び比較例の異方導電性フィルムとの評価用接続物において、隣り合う接続端子間１００個中で、端子と接続することなく存在する導電粒子であって２個連結した導電粒子塊の数、又は３個連結した導電粒子塊の数を、金属顕微鏡を用いて計測した。結果を表１に示す。
【００５６】
【表１】
0006690184.tif 000002
【００５７】
表１から、実施例１〜３の異方導電性フィルムと比較例１の導電性フィルムは、共に導電粒子が高密度であるが、比較例１の異方導電性フィルムでは連結した導電粒子が３個の導電粒子塊が発生し、ショートが生じ易いのに対し、実施例１〜３の異方導電性フィルムでは導電粒子塊が発生し難く、端子がショートし難いことがわかる。
【００５８】
また、これらの接続状態を観察したところ、比較例１では導電粒子の配列がバンプ列と平行な配列と直交する配列からなるためか、導電粒子の配列状態の接続前後の変化がわかりにくかった。しかしながら、隣接する導電粒子が異方導電性フィルムの長手方向及び短手方向の少なくとも一方で重複し、重複幅Ｗ1、Ｗ2が導電粒子の粒子径の１倍未満である実施例１〜３では、接続前後の導電粒子の位置の変化を把握するのが容易であった。
【符号の説明】
【００５９】
１Ａ、１Ｂ、１Ｃ、１Ｄ  異方導電性フィルム
３    端子又は接続端子
１０    絶縁接着剤層
Ａ1   第１配列軸
Ａ2   第２配列軸
Ｆ1   異方導電性フィルムの長手方向
Ｆ2   異方導電性フィルムの短手方向
Ｌ1   基準導電粒子と第１導電粒子との中心間距離
Ｌ2   基準導電粒子と第２導電粒子との中心間距離
Ｐ    導電粒子
Ｐ0   基準導電粒子
Ｐ1   第１導電粒子
Ｐ2   第２導電粒子
ｑ1   基準導電粒子の異方導電性フィルムの長手方向の投影像
ｑ2   基準導電粒子の異方導電性フィルムの短手方向の投影像
Ｗ1   異方導電性フィルムの長手方向で隣接する導電粒子の重なり幅
Ｗ2   異方導電性フィルムの短手方向で隣接する導電粒子の重なり幅
【図１】
0006690184.tif 000003
【図２】
0006690184.tif 000004
【図３】
0006690184.tif 000005
【図４】
0006690184.tif 000006
【図５】
0006690184.tif 000007
【図６】
0006690184.tif 000008